(57)【要約】【課題】視聴を所望する番組を、該番組の一部であっても、視聴者が予め指定する煩わしさもなく、かつ、見逃すことがないテレビジョン受像機を提供する。【解決手段】視聴履歴登録手段１ａが、受信部３により受信したＥＰＧデータの中から視聴者が視聴した番組の番組名を取得し、視聴開始時刻と視聴終了時刻と共に、視聴履歴データとして視聴履歴記録部８に記録し、視聴者が番組を視聴する際に、見逃し防止お知らせ手段１ｂが、現在視聴している該番組を示す番組名が、視聴履歴記録部８に記録されていた前記視聴履歴データのうち、現在時刻と同じ時刻を含む時間帯において過去に視聴していた番組を示す前記視聴履歴データの番組名と異なっている場合、過去と異なる番組を視聴している旨を画像モニタ部６及び／又は音声モニタ部７を介して警告通知する。また、視聴継続時間が予め設定された視聴判定時間１ｃ以上の視聴番組のみを視聴履歴記録部８に記録する。【選択図】図１
2005039681.tif 000002
【特許請求の範囲】
【請求項１】
順次に送信されてくる複数の番組内容を番組名と共に示す電子番組ガイドデータを受信する受信手段と、ユーザが視聴した番組の番組名を前記受信手段により受信された前記電子番組ガイドデータの中から取得し、視聴した当該番組の視聴開始時刻と視聴終了時刻と共に、過去に視聴した履歴を示す視聴履歴データとして記録する視聴履歴記録手段と、ユーザが番組を視聴している状態にある場合に、視聴している該番組に関して前記電子番組ガイドデータから取得した番組名が、前記視聴履歴記録手段に記録されていた前記視聴履歴データのうち、現在視聴している時刻と同じ時刻を含む時間帯において過去に視聴していた番組であることを示す前記視聴履歴データの番組名と異なっている場合、過去に視聴していた番組名と異なる番組を視聴している旨を警告通知する見逃し防止お知らせ手段と、を具備したことを特徴とするテレビジョン受像機。
【請求項２】
請求項１に記載のテレビジョン受像機において、前記視聴履歴記録手段にユーザが視聴した番組の番組名と視聴開始時刻と視聴終了時刻とを記録する場合、該番組の視聴継続時間が、予め設定されている視聴判定時間以上に亘る時間であった場合に、当該番組の番組名と視聴開始時刻と視聴終了時刻とを前記視聴履歴データとして前記視聴履歴記録手段に記録することを特徴とするテレビジョン受像機。
【請求項３】
請求項２に記載のテレビジョン受像機において、予め設定される前記視聴判定時間が、ユーザにより任意の値に変更して設定することを可能とすることを特徴とするテレビジョン受像機。
【請求項４】
請求項１乃至３のいずれかに記載のテレビジョン受像機において、現在視聴している時刻と同じ時刻を含む前記時間帯として用いる情報に関し、前日の同一時間帯、先週の同一曜日の同一時間帯、先月の同一日の同一時間帯、先月の同一週の同一曜日の同一時間帯、６ヶ月前の同一日の同一時間帯、６ヶ月前の同一週目の同一曜日の同一時間帯、前年の同一月日の同一時間帯、前年の同一週目の同一曜日の同一時間帯、のうちいずれか、１乃至複数の組み合わせを用いることが可能であることを特徴とするテレビジョン受像機。
【発明の詳細な説明】
【技術分野】
【０００１】
本発明は、テレビジョン受像機に関し、特に、電子番組ガイド（ＥＰＧ：Electric  Program  Guide）を受信可能な受信手段を有し、視聴を所望する番組の見逃しを防止するための見逃し防止お知らせ機能付きのテレビジョン受像機に関する。
【背景技術】
【０００２】
近年、デジタル衛星放送と称される形態の番組提供サービスが出現し、デジタル衛星放送によれば、デジタル多重方式により１系統のＴＶ信号の中に膨大な数のチャンネル情報を包含できるようになっていて、この場合、膨大なチャンネルの中から所望する番組のチャンネルを探し出すことは、従前のようなアナログ方式のＴＶ放送の場合と同様の感覚で行なうことは難しく、例えばＥＰＧ（Electric  Program  Guide）と称される電子番組ガイドを用いて、所望の番組の選択を行なうことができるように構成されている。
そして、テレビジョン受像機の側では、電子番組ガイド（ＥＰＧ）を見ながら所望の番組を選択し、タイマを設定することによって、所望する番組を視聴したり、録画したりするための番組の予約を行なうことが可能とされている。
【０００３】
ＥＰＧデータを利用した番組予約方法としては、特許文献１に示す特開２００２−２１８３３３号公報「番組予約装置及び方法、受信装置及び方法、記録装置、及び記録媒体」に記載の技術がある。該特許文献１に記載の技術によれば、視聴したい番組を指定する場合に、現在視聴中の当該番組に関してエンドフラグ（「来週月曜に続く」などの番組データに付加されるフラグ）を自動的に検出し、該エンドフラグに基づいて、連続性がある当該番組に関する次回の放送予定の日時を視聴予約することが可能になっている。
【０００４】
また、特許文献２に示す特開２００２−３５９７９３号公報「情報記録装置におけるタイマ予約の制御装置」によれば、ＥＰＧデータによってタイマ予約のための番組を選択して指定すると同時に、更に、当該番組に関する予約開始時刻から予約終了時刻までを例えば棒グラフを用いて指定して予約することにより、簡単な操作で、所望する当該番組の一部のみを特定して、部分的な番組予約を行なうことが可能な技術が記載されている。
【０００５】
【特許文献１】特開２００２−２１８３３３号公報（第６−７頁、図２、図３）
【特許文献２】特開２００２−３５９７９３号公報（第４頁、図４、図５）
【発明の開示】
【発明が解決しようとする課題】
【０００６】
しかしながら、前述した従来技術においては、例えば特許文献１に示す特開２００２−２１８３３３号公報の技術では、視聴者は、視聴を所望する番組を予め選択して指定することが必要であり、かつ、連続性がある番組の最初から最後までの番組全体を予約することになり、例えば連続番組のうち実際に視聴したい番組の一部のみを確実に見逃さないようにすることは困難であるという問題を有している。
また、特許文献２に示す特開２００２−３５９７９３号公報の技術では、視聴者自身が、まず、所望の番組を指定した後、見逃したくない番組の一部を当該番組に関するタイマ予約の開始時刻と終了時刻とにより必ず予め指定することが必要であり、視聴者が、かかる指定自体をも忘れてしまって、番組を見逃してしまいかねないという問題を有している。
【０００７】
本発明は、そのような状況に鑑みてなされたものであり、連続性がある番組であっても、視聴を所望する番組の一部を視聴者が予め指定するような煩わしさがなく、かつ、当該番組の一部を見逃すことがなく確実に視聴することができるように、視聴者に警告通知を行なうことができるようにすることを目的としている。
【課題を解決するための手段】
【０００８】
本発明に係るテレビジョン受像機は、かくのごとき課題を解決するための技術手段を提供するものであり、以下のごとき技術手段から構成されている。
まず、第１の技術手段は、順次に送信されてくる複数の番組内容を番組名と共に示す電子番組ガイドデータを受信する受信手段と、ユーザが視聴した番組の番組名を前記受信手段により受信された前記電子番組ガイドデータの中から取得し、視聴した当該番組の視聴開始時刻と視聴終了時刻と共に、過去に視聴した履歴を示す視聴履歴データとして記録する視聴履歴記録手段と、ユーザが番組を視聴している状態にある場合に、視聴している該番組に関して前記電子番組ガイドデータから取得した番組名が、前記視聴履歴記録手段に記録されていた前記視聴履歴データのうち、現在視聴している時刻と同じ時刻を含む時間帯において過去に視聴していた番組であることを示す前記視聴履歴データの番組名と異なっている場合、過去に視聴していた番組名と異なる番組を視聴している旨を警告通知する見逃し防止お知らせ手段と、を具備したテレビジョン受像機とすることを特徴とする。
【０００９】
第２の技術手段は、前記第１の技術手段に記載のテレビジョン受像機において、前記視聴履歴記録手段にユーザが視聴した番組の番組名と視聴開始時刻と視聴終了時刻とを記録する場合、該番組の視聴継続時間が、予め設定されている視聴判定時間以上に亘る時間であった場合に、当該番組の番組名と視聴開始時刻と視聴終了時刻とを前記視聴履歴データとして前記視聴履歴記録手段に記録することを特徴とする。
【００１０】
第３の技術手段は、前記第２の技術手段に記載のテレビジョン受像機において、予め設定される前記視聴判定時間が、ユーザにより任意の値に変更して設定することを可能とすることを特徴とする。
【００１１】
第４の技術手段は、前記第１乃至第３の技術手段のいずれかに記載のテレビジョン受像機において、現在視聴している時刻と同じ時刻を含む前記時間帯として用いる情報に関し、前日の同一時間帯、先週の同一曜日の同一時間帯、先月の同一日の同一時間帯、先月の同一週の同一曜日の同一時間帯、６ヶ月前の同一日の同一時間帯、６ヶ月前の同一週目の同一曜日の同一時間帯、前年の同一月日の同一時間帯、前年の同一週目の同一曜日の同一時間帯、のうちいずれか、１乃至複数の組み合わせを用いることが可能であることを特徴とする。
【発明の効果】
【００１２】
以上に説明したような技術手段を備えた本発明に係るテレビジョン受像機によれば、以下のような効果が齎される。
本発明に係るテレビジョン受像機によれば、視聴した番組の視聴履歴データを記録し、新たに番組を選局して視聴開始した際に、過去（例えば、前日の同一時間帯や先週の同一曜日の同一時間帯など）に視聴したことを示す視聴履歴データにある番組と異なる番組を視聴している場合、過去とは異なる番組を視聴している旨を警告通知するような構成としているので、連続性のある番組であっても、予め視聴予約する指定を行なうような煩わしさがなく、当該テレビジョン受像機が視聴状態にある限り、連続性のある番組を見逃すことがなく、チャンネルを切り換えて確実に視聴できるように、視聴者に対して警告通知することが可能である。
【００１３】
また、本発明に係るテレビジョン受像機によれば、予め設定された一定時間以上即ち視聴判定時間以上に亘って視聴が継続した番組のみを視聴した番組を示す視聴履歴データとして記録するような構成としているので、チャンネルを切り換えただけで実際に視聴していない番組を視聴履歴データから排除することが可能であるし、更には、視聴者が視聴したとみなす番組を判定するための視聴判定時間を任意の値に変更することにより、視聴履歴データとして記録すべき番組の選択を変更することも可能となる。
【発明を実施するための最良の形態】
【００１４】
本発明に係るテレビジョン受像機は、前述したように、ａ）順次に送信されてくる複数の番組内容を番組名と共に示す電子番組ガイドデータを受信する受信手段と、ｂ）視聴者が視聴した番組の番組名を前記受信手段により受信された前記電子番組データの中から取得し、視聴した当該番組の視聴開始時刻と視聴終了時刻と共に、過去に視聴した履歴を示す視聴履歴データとして記録する視聴履歴記録手段と、ｃ）視聴者が番組を視聴している状態にある場合に、視聴している該番組に関して前記電子番組ガイドデータから取得した番組名が、前記視聴履歴記録手段に記録されていた前記視聴履歴データのうち、現在視聴している時刻と同じ時刻を含む時間帯において過去に視聴していた番組であることを示す前記視聴履歴データの番組名と異なっている場合、過去に視聴していた番組名と異なる番組を視聴している旨を警告通知する見逃し防止お知らせ手段と、を具備したテレビジョン受像機とすることを特徴としている。
【００１５】
以下に、本発明に係るテレビジョン受像機の実施形態の一例について、図１乃至図３を参照しながら説明する。
図１は、本発明に係るテレビジョン受像機の実施形態におけるブロック構成の一例を示すブロック構成図である。図１に示すテレビジョン受像機１０は、制御部１により全体の動作を制御するように構成されている。即ち、制御部１からの制御指令によって、デジタル衛星放送を受信するためのアンテナ２が接続されている受信部３の受信チャンネルの選択が行なわれ、受信部３がアンテナ２から受信した受信出力は、制御部１によって適正に制御されている信号処理部４に入力され、信号処理部４により適正に処理が施され、適正に処理されて復元された画像信号は画像モニタ部６にて画面表示され、適正に処理されて復元された音声信号は音声モニタ部７から出力される。
【００１６】
ここで、受信部３は、複数の番組内容を番組名と共に示す電子番組ガイドデータ（ＥＰＧデータ）を送信番組データに付加して送信されてきた放送信号を受信するものであり、受信部３により受信されたＥＰＧデータは、制御部１に逐次通知され、制御部１は、該ＥＰＧデータの中から所望の番組の放送開始時刻や放送終了時刻の他に番組名を取得することができる。なお、ＥＰＧデータは、かくのごとく、放送信号の中から受信部３により抽出して制御部１に通知する場合のみに限るものではなく、例えば、インターネットなどを介して受信するようにしても構わない。
【００１７】
また、制御部１に対する多種多様な制御動作の指令を視聴者が与えるためのキー操作部５が設けられており、該キー操作部５には、チャンネル選局や番組の録画予約などの動作に関する各種の指令を与えるための複数の操作キーが設けられている。
【００１８】
また、制御部１には、視聴履歴登録手段１ａが備えられており、かつ、制御部１には視聴履歴記録部８と現在時刻取得部９とが接続されている。視聴履歴登録手段１ａは、視聴者が視聴するチャンネルを切り換えて変更する都度、現在時刻取得部９から現在時刻を取得し、チャンネル変更前の番組の視聴を終了した時刻即ち視聴終了時刻を視聴履歴記録部８に記録すると共に、チャンネル変更後の視聴番組の視聴開始時刻を、該視聴番組に関してＥＰＧデータから取得した番組名と共に視聴履歴記録部８に記録するように構成されている。また、視聴履歴登録手段１ａは、視聴者が電源を切断した際にも、必要に応じて、電源切断前の番組の視聴を終了した時刻即ち視聴終了時刻を視聴履歴記録部８に記録する。
【００１９】
更に、制御部１には、見逃し防止お知らせ手段１ｂが備えられており、該見逃し防止お知らせ手段１ｂは、視聴者が、電源を投入して視聴を開始する操作をした際に、あるいは、チャンネルの変更を指示した際に、現在時刻が示す時刻情報に基づいて、視聴履歴記録部８を参照して、現在時刻と同一の時刻を含む時間帯で過去に視聴していた番組が存在しているか否かを検索して、過去に視聴していた番組が存在していた場合には、現在視聴中の番組名を、視聴履歴記録部８に記録されている過去に視聴していた該番組の番組名と比較して、異なる番組名であった場合、過去に視聴していた番組とは異なる番組を視聴している旨を示す警告通知を、画像モニタ部６及び／又は音声モニタ部７から出力して、視聴者に対して警告する。而して、連続性のある番組であっても、予め視聴予約する指定を行なうような煩わしさがなく、視聴を見逃すことがないように、視聴者に対して、その旨を通知することが可能となる。
【００２０】
ここで、視聴履歴登録手段１ａが視聴履歴記録部８に視聴履歴データを記録する際に、視聴者にとって無効な視聴履歴データを記録しないように、制御部１には、視聴した番組の履歴を視聴履歴データとして記録するか否かを識別するために、視聴者の視聴継続時間と比較するための閾値となる一定時間即ち視聴判定時間１ｃが予め設定されており、更には、キー操作部５には、予め設定されている該視聴判定時間１ｃを、視聴者が任意の値に変更して設定させることも可能な操作キーが備えられている。而して、予め設定された視聴判定時間１ｃ以上に亘って視聴が継続した番組のみを視聴者が視聴した番組とみなして視聴履歴データとして視聴履歴記録部８に記録するような構成としているので、チャンネルを切り換えただけで実際に視聴していない番組を視聴履歴データから排除することも可能であるし、更には、視聴者が視聴したとみなす番組の視聴判定時間１ｃを任意の値に変更することにより、視聴履歴データとして視聴履歴記録部８に記録すべき番組の選択基準を変更することも可能となる。
【００２１】
更に、見逃し防止お知らせ手段１ｂが、現在時刻と同一の時刻を含む時間帯で過去に視聴していた番組が存在しているか否かを検索する際に、現在時刻と同一の時刻を含む過去の時間帯として用いる情報に関し、前日の同一時間帯、先週の同一曜日の同一時間帯、先月の同一日の同一時間帯、先月の同一週の同一曜日の同一時間帯、６ヶ月前の同一日の同一時間帯、６ヶ月前の同一週目の同一曜日の同一時間帯、前年の同一月日の同一時間帯、前年の同一週目の同一曜日の同一時間帯、のうちいずれか、１乃至複数の組み合わせを用いることが可能であり、かつ、視聴者が、いずれか１乃至複数の組み合わせを選択して指定することも可能である。
【００２２】
次に、本発明に係るテレビジョン受像機の動作について、図２及び図３に示すフローチャートを用いて、更に詳細に説明する。
まず、視聴履歴登録手段１ａが視聴履歴データを視聴履歴記録部８に記録する場合の動作について、図２のフローチャートを用いて説明する。ここに、図２は、視聴履歴データを視聴履歴記録部８に記録する場合の視聴履歴登録手段１ａの動作を説明するためのフローチャートである。
【００２３】
まず、視聴者が、電源を投入して視聴を開始する操作をした際に、あるいは、チャンネルの変更を指示した際に、視聴履歴登録手段１ａは、視聴開始時刻として現在時刻取得部９より現在時刻を取得する（ステップＳ１）。しかる後に、視聴者が、電源の切断操作、あるいは、チャンネルの切換をキー操作部５で行なったか否かを判定し（ステップＳ２）、視聴者が何ら操作を行なっていない場合は（ステップＳ２のＮＯ）、視聴を開始した視聴番組を視聴し続けているものとして、ステップＳ２の判定動作を繰り返す。一方、視聴者が、電源の切断操作、あるいは、チャンネルの切換キーを操作したと判定した場合（ステップＳ２のＹＥＳ）、今まで視聴していた視聴番組の視聴を終了した視聴終了時刻を現在時刻取得部９より取得する（ステップＳ３）。
【００２４】
しかる後に、当該視聴番組の視聴開始時刻と視聴終了時刻とから、当該視聴番組の視聴継続時間を算出して、予め設定されている視聴判定時間１ｃと比較する（ステップＳ４）。視聴判定時間１ｃよりも短い時間しか視聴していないと判定された場合（ステップＳ４のＮＯ）、当該視聴番組は視聴していなかったものとみなして、チャンネルの切換キーが操作されていた場合には、ステップＳ１に復帰して、チャンネルが切り換えられた新たな番組を視聴対象の番組として視聴開始時刻を取得するための処理に復帰する。電源の切断操作がなされた場合は、ステップＳ１に復帰せずに、視聴履歴登録手段１ａの処理を終了する。一方、視聴判定時間１ｃ以上の時間に亘って視聴を継続していると判定された場合（ステップＳ４のＹＥＳ）、過去に視聴した視聴履歴データとして視聴履歴記録部８に記録するために、当該視聴番組の番組名をＥＰＧデータより取得して、視聴開始時刻と視聴終了時刻と共に、視聴履歴記録部８に記録する。しかる後に、チャンネルの切換キーが操作されていた場合には、ステップＳ１に復帰する。
【００２５】
かくのごとき動作を繰り返すことにより、視聴履歴登録手段１ａは、予め設定されている視聴判定時間１ｃ以上に亘って視聴していた番組に関する情報（番組名、年月日や曜日情報を伴う視聴開始時刻と視聴終了時刻）を、過去に視聴していた視聴履歴を示す視聴履歴データとして視聴履歴記録部８に順次記録していく動作を行なう。
【００２６】
次に、見逃し防止お知らせ手段１ｂが、視聴履歴記録部８に記録されている過去の視聴履歴データに基づいて、視聴者に番組の視聴を見逃さないように警告通知する場合の動作について、図３のフローチャートを用いて説明する。ここに、図３は、視聴者に番組の視聴を見逃さないように警告通知する場合の見逃し防止お知らせ手段１ｂの動作を説明するためのフローチャートであり、見逃し防止お知らせ手段１ｂは、視聴者が番組を視聴している状態にある場合に予め定められた周期で定期的に動作している。
【００２７】
図３のフローチャートにおいて、まず、見逃し防止お知らせ手段１ｂは、現在時刻取得部９より現在時刻を取得する（ステップＳ１１）。更に、ＥＰＧデータを参照して、視聴者が現在視聴している視聴番組の番組名を取得する（ステップＳ１２）。次に、ステップＳ１１において取得された現在時刻に基づいて、該現在時刻と同一の時刻を含む時間帯で過去に視聴していた履歴を示す視聴履歴データを、視聴履歴記録部８から読み出して取得する（ステップＳ１３）。ここで、現在時刻と同一の時刻を含む時間帯に該当する時間帯とは、前述したように、前日の同一時間帯、先週の同一曜日の同一時間帯、先月の同一日の同一時間帯、先月の同一週の同一曜日の同一時間帯、６ヶ月前の同一日の同一時間帯、６ヶ月前の同一週目の同一曜日の同一時間帯、前年の同一月日の同一時間帯、前年の同一週目の同一曜日の同一時間帯、のうちいずれか、１乃至複数の組み合わせを示すものである。
【００２８】
次に、ステップＳ１２で取得した現在視聴している視聴番組の番組名が、ステップＳ１３で取得した過去の同じ時間帯で視聴していた番組の番組名と同一の番組名であるか否かを判定する（ステップＳ１４）。同一の番組名であった場合には（ステップＳ１４のＹＥＳ）、過去に視聴していた連続放送番組の続きを見逃すことなく視聴しているものと判定して、見逃し防止お知らせ手段１ｂの動作を終了する。一方、同一の番組名ではないと判定された場合には（ステップＳ１４のＮＯ）、過去に視聴していた連続放送番組の続きを見逃す恐れがあるものとみなして、過去に同じ時間帯で視聴していた番組名と異なる番組名の番組を視聴している旨を警告する通知を、画像モニタ部６に画面表示する、及び／又は、音声モニタ部７に音声出力する。
【００２９】
かくのごとき動作を行なうことにより、視聴者は、たとえ視聴したい連続番組を視聴し忘れて別の番組を視聴し始めている場合であっても、警告通知に基づいて、所望の連続番組にチャンネルを切り換える契機が得られ、過去に視聴していた時間帯と同じ時間帯で、所望の番組（あるいは、所望の番組の一部）を見逃すことなく確実に視聴することが可能になり、視聴を所望する番組（あるいは、該番組の一部）を視聴者が予め予約指定するような煩わしさも不要となる。
【図面の簡単な説明】
【００３０】
【図１】本発明に係るテレビジョン受像機の実施形態におけるブロック構成の一例を示すブロック構成図である。
【図２】視聴履歴データを視聴履歴記録部に記録する場合の視聴履歴登録手段の動作を説明するためのフローチャートである。
【図３】視聴者に番組の視聴を見逃さないように警告通知する場合の見逃し防止お知らせ手段の動作を説明するためのフローチャートである。
【符号の説明】
【００３１】
１…制御部、１a…視聴履歴登録手段、１ｂ…見逃し防止お知らせ手段、１ｃ…視聴判定時間、２…アンテナ、３…受信部、４…信号処理部、５…キー操作部、６…画像モニタ部、７…音声モニタ部、８…視聴履歴記録部、９…現在時刻取得部、１０…テレビジョン受像機。
【図１】
2005039681.tif 000003
【図２】
2005039681.tif 000004
【図３】
2005039681.tif 000005